(57)【特許請求の範囲】
【請求項１】
間欠的に気体の気圧を変化させる気圧変化部と、
上記気体の気圧を模擬血液の水圧に伝達する圧力伝達部と、
上記圧力伝達部に対し一端が接続されると共に他端が閉塞し、内部が上記模擬血液で満たされ上記水圧の変化により外形が変化する模擬血管と、
下面が平坦であり、上面が人体の手首の形状を模して湾曲した台部と、
上記台部に載置され当該台部の上面の湾曲面に沿って湾曲し、下面の切れ込みに上記模擬血管を嵌め込むことで上記模擬血管を覆う模擬皮膚と、
上記模擬皮膚を上面から上記台部に固定する蓋部と、
上記模擬血管と接続され上記模擬血管内部に所定の圧力を加えることにより上記模擬血液に疑似的な血圧を発生させる血圧発生部と
を有する穿刺手技訓練装置。
【請求項２】
上記模擬血管は、上記圧力伝達部に対し複数本接続される
請求項１に記載の穿刺手技訓練装置。
【発明の詳細な説明】
【技術分野】
【０００１】
本発明は穿刺手技訓練装置に関し、例えば橈骨動脈に対する穿刺手技の訓練に用いる穿刺手技訓練装置に適用して好適なものである。
【背景技術】
【０００２】
近年、経皮的冠動脈形成術（ＰＣＩ：Percutaneous Coronary Intervention）における低侵襲化を図るため、橈骨動脈に穿刺針を穿刺し心臓の冠状動脈にカテーテルを到達させる経橈骨動脈形成術（ＴＲＩ：Trans-radial coronary intervention）が普及してきている。
【０００３】
この穿刺手技に関しては、医師が予めその手技を習得しておく必要がある。穿刺手技を訓練するための器具としては、模擬皮膚に穿刺針を穿刺し、当該穿刺針が模擬体液に達したときに当該模擬体液が吸引される器具が提案されている。（例えば、特許文献１参照）。
【先行技術文献】
【特許文献】
【０００４】
【特許文献１】特開２００５−１８１５１８号公報
【発明の概要】
【発明が解決しようとする課題】
【０００５】
しかしながら、ＴＲＩにおける動脈に対する穿刺手技の訓練のための器具は未だ提案されておらず、臨床現場に近い感覚で動脈に対する穿刺手技の訓練を行うことができなかった。
【０００６】
本発明は以上の点を考慮してなされたもので、臨床現場に近い感覚で動脈に対する穿刺手技の訓練を行い得る穿刺手技訓練装置を提案しようとするものである。
【課題を解決するための手段】
【０００７】
かかる課題を解決するため本発明の穿刺手技訓練装置においては、間欠的に気体の気圧を変化させる気圧変化部と、気体の気圧を模擬血液の水圧に伝達する圧力伝達部と、圧力伝達部に対し一端が接続されると共に他端が閉塞し、内部が模擬血液で満たされ水圧の変化により外形が変化する模擬血管と、下面が平坦であり、上面が人体の手首の形状を模して湾曲した台部と、台部に載置され当該台部の上面の湾曲面に沿って湾曲し、下面の切れ込みに模擬血管を嵌め込むことで模擬血管を覆う模擬皮膚と、模擬皮膚を上面から台部に固定する蓋部と、模擬血管と接続され模擬血管内部に所定の圧力を加えることにより模擬血液に疑似的な血圧を発生させる血圧発生部とを設けるようにした。
【０００８】
本発明の穿刺手技訓練装置では、人体の動脈の脈拍を忠実に再現した模擬血管を模擬皮膚により覆い、外部から直接目視することができないようにすることにより、訓練者に対し、触診において動脈の脈動を頼りに当該動脈の位置を捕える訓練を行わせることができる。
【発明の効果】
【０００９】
本発明によれば、人体の動脈の脈拍を忠実に再現した模擬血管を模擬皮膚により覆い、外部から直接目視することができないようにすることにより、訓練者に対し、触診において動脈の脈動を頼りに当該動脈の位置を捕える訓練を行わせることができる。かくして本発明は、臨床現場に近い感覚で動脈に対する穿刺手技の訓練を行い得る穿刺手技訓練装置を実現できる。
【図面の簡単な説明】
【００１０】
【図１】穿刺手技訓練装置の全体構成を示す略線図である。
【図２】模擬手首のＡ−Ａ’線断面図を示す略線図である。
【図３】他の実施の形態による穿刺手技訓練装置の全体構成を示す略線図である。
【発明を実施するための形態】
【００１１】
以下、発明を実施するための形態（以下実施の形態とする）について、図面を用いて説明する。
【００１２】
［１．実施の形態］
［１−１．穿刺手技訓練装置の構成］
図１に示すように穿刺手技訓練装置１は、主に、空気を送出又は吸引する吸送気部２と、当該空気の気圧を水圧として伝達するトランスデューサ８と、人体における手首を模した模擬手首２０とにより構成されている。
【００１３】
吸送気部２は、空気チューブ３により接続された空気ポンプ４、電磁弁５及びリーク弁６と、当該電磁弁５を制御するコントローラ７とにより構成されており、空気の気圧を変化させてトランスデューサ８に送出するようになされている。
【００１４】
空気ポンプ４は、空気を吸送気可能になされている。本実施の形態において空気ポンプ４は、当該空気ポンプ４に接続された空気チューブ３に対し、およそ１２５ｍｍＨｇの圧力で空気を送出することにより、当該空気チューブ３内部の空気を圧縮し、空気圧を高めるようになされている。因みに空気チューブ３は、例えばポリウレタンにより形成されている。
【００１５】
電磁弁５は、コントローラ７により制御され、一定又は変則的な周期で間欠的に内部の弁が開閉する。これにより電磁弁５は、空気ポンプ４から送出された空気を、内部の弁が開いた状態において空気チューブ３に通過させる。
【００１６】
リーク弁６は、電磁弁５を通過した空気を空気チューブ３を通してトランスデューサ８に送出すると共に、空気チューブ３内部の空気圧が予め設定された所定の圧力になった場合、空気を外部へ放出することにより、空気チューブ３内部の空気圧の上限を定めるようになされている。
【００１７】
トランスデューサ８は、内部空間を有する空気室９及びドーム１０と、当該空気室９及びドーム１０とを隔てる隔壁１１とにより構成されている。
【００１８】
因みにトランスデューサ８は、人体の血圧を測定する際に使用され当該血圧を空気圧として伝達して出力する、一般的な血圧トランスデューサが用いられている。
【００１９】
空気室９は、空気チューブ３と接続し空気が充填しており、当該空気が外部に漏れないよう密閉されている。
【００２０】
隔壁１１は、一般的なダイアフラムでなり、可撓性を有する薄肉円盤状に形成され、その周縁部が空気室９とドーム１０とに挟み込まれることで固定されている。
【００２１】
このため隔壁１１は、吸送気部２の作動による空気室９内部の空気の吸送気により、周縁部を除く部分が空気室９又はドーム１０の内部空間のいずれか一方側に変位し、略中央を頂部とするドーム状に変化するようになされている。
【００２２】
ドーム１０は、血液チューブ１２と接続し模擬血液が充填している。因みに血液チューブ１２は、例えばポリウレタンにより形成されている。また血液チューブ１２は、天然ゴム、シリコン樹脂、アクリル樹脂等により形成されていても良い。
【００２３】
本実施の形態においてトランスデューサ８は、吸送気部２から圧縮空気が送られることにより隔壁１１の略中央部がドーム１０側に変位する。これによりトランスデューサ８は、ドーム１０内部の容積を減少させ模擬血液の水圧を高めるようになされている。
【００２４】
またトランスデューサ８は、吸送気部２から圧縮空気が間欠的に繰り返し送出されることで模擬血液の水圧を間欠的に繰り返し高めることにより、模擬血液に拍動を生成するようになされている。因みに模擬血液は、例えば水を顔料や染料により赤く着色した液体を用いることができる。
【００２５】
血液チューブ１２には、模擬血液で満たされた輸液ソフトバッグ１３が接続されている。当該輸液ソフトバッグ１３は、ポンプ１４から空気を送出されることで加圧バッグ１５を介して一定の圧力で加圧される。これにより模擬血液には、所定の圧力が発生することとなる。
【００２６】
また血液チューブ１２には、模擬血液の水圧を測定する圧力モニタ１７が接続されている。圧力モニタ１７は、血液チューブ１２内部の模擬血液の水圧を検出して表示する。
【００２７】
これにより穿刺手技の訓練をする者（以下訓練者とも呼ぶ）は、圧力モニタ１７を目視しながらポンプ１４を用いて加圧バッグ１５に加える空気圧を調整することで、人体の血管における血圧と同様の擬似血圧を模擬血液に発生させることができる。
【００２８】
血液チューブ１２の先端には、接続部１８を介して、模擬血管１９の一端が着脱自在に接続されている。模擬血管１９は、人体の橈骨動脈を模した柔軟さ及び太さでなり、例えば内径が２．５ｍｍのゴムチューブにより形成されている。また、模擬血管１９の他端は模擬血液が外部に漏れないように閉塞され、模擬手首２０内部に固定されている。
【００２９】
このように模擬血管１９は、橈骨動脈を模して柔軟に形成されているため、内部の圧力が変化すると太さが変化する。これにより模擬血管１９は、血液チューブ１２から伝わった拍動によって外形が変化することで脈動するため、人体の脈拍に模した擬似的な脈拍が発生することとなる。
【００３０】
模擬手首２０は、模擬血管１９に直交する断面図を図２に示すように、台部２１、蓋部２２、模擬血管１９及び模擬皮膚２３により構成されている。
【００３１】
台部２１は、上面が人体の手首の形状を模して湾曲している。模擬皮膚２３は、板状でなり、人体の皮膚を模してシリコン、ポリウレタン又はポリスチレン等の高分子ゲルにより形成されている。
【００３２】
また模擬皮膚２３は、その下面に切れ込みが入っており、当該切れ込みに模擬血管１９が嵌めこまれることにより、当該模擬血管１９を覆うようになされている。
【００３３】
このように模擬手首２０は、模擬皮膚２３により模擬血管１９を覆うことで、訓練者に対し当該模擬血管１９を直接目視することができないようにすることにより、人体の手首を忠実に再現するようになされている。
【００３４】
さらに模擬皮膚２３は、台部２１に載置されることにより、当該台部２１の上面の湾曲面に沿って湾曲する。
【００３５】
模擬血管１９は、台部２１における模擬皮膚２３の両端側に設けられた固定部２４（図１）により、台部２１に固定される。また模擬皮膚２３（図２）は、蓋部２２により上面から台部２１に固定される。
【００３６】
このように穿刺手技訓練装置１では、吸送気部２から間欠的に送出された圧縮空気の空気圧を、トランスデューサ８により模擬血液における拍動に変換することで模擬血管１９を脈動させることにより、模擬血管１９において人体の動脈の脈拍を忠実に再現するようになされている。
【００３７】
また穿刺手技訓練装置１では、加圧バッグ１５により模擬血液に圧力を加えることで模擬血液に水圧を発生させることにより、模擬血管１９において人体の動脈の血圧を忠実に再現するようになされている。
【００３８】
［１−２．穿刺手技の訓練］
次に、穿刺手技訓練装置１を利用した穿刺手技の訓練の様子について説明する。穿刺手技訓練装置１は、ポンプ１４を操作されることにより模擬血液に擬似血圧を発生させる。
【００３９】
ここで、模擬血液に擬似血圧がかかると、トランスデューサ８における隔壁１１は、その略中央部が空気室９側に変位する。
【００４０】
そこで訓練者は、模擬血液に擬似血圧がかかった状態で空気チューブ３内部の空気圧と模擬血管１９内部の水圧とが同等となるようリーク弁６を調整する。これによりトランスデューサ８の隔壁１１は、空気室９側又はドーム１０側のいずれにも変位していない中立状態となる。
【００４１】
続いて穿刺手技訓練装置１は、吸送気部２を作動させることにより模擬血液に脈動を発生させる。
【００４２】
そして訓練者は、模擬手首２０における模擬皮膚２３を触診しながら、当該模擬皮膚２３内部において脈動する模擬血管１９の位置を、触覚を頼りに捕え、穿刺針を挿入する。
【００４３】
このとき模擬血液には擬似血圧が発生しているため、穿刺針が模擬血管１９に到達した際、模擬血管１９から模擬血液が穿刺針内を通りフラッシュバックする。これにより訓練者は、穿刺針を模擬血管１９に穿刺できたことを確認することができる。
【００４４】
このように穿刺手技訓練装置１においては、模擬血液に擬似血圧を発生させるようにしたため、訓練者が模擬血管１９に対する穿刺に成功したか否かを、模擬血液がフラッシュバックしたか否かにより判断させることができる。
【００４５】
また模擬血管１９は、人体の橈骨動脈を模して柔軟に形成されているため、模擬血液の拍動により模擬血管１９自身が脈動する。このため訓練者は、模擬皮膚２３を触診することにより、当該模擬皮膚２３の内部において脈動している模擬血管１９を、触覚を頼りに捕えることができる。
【００４６】
これにより穿刺手技訓練装置１は、臨床現場における動脈に対する穿刺を忠実に再現することができる。
【００４７】
［１−３．動作及び効果］
以上の構成において穿刺手技訓練装置１では、吸送気部２から間欠的に送出された圧縮空気の空気圧を、トランスデューサ８により模擬血液における拍動に変換することで、模擬血管１９を脈動させる。このため穿刺手技訓練装置１は、人体の動脈の脈拍を忠実に再現することができる。
【００４８】
特に模擬血管１９は、人体の橈骨動脈を模して柔軟に形成するようにした。このため模擬血管１９は、模擬血液の拍動により人体と同様に外部から触診して脈動が感じられる程度に脈動する。
【００４９】
このため訓練者は、模擬皮膚２３を触診することにより、当該模擬皮膚２３の内部において脈動している模擬血管１９を、触覚を頼りに捕えることができる。
【００５０】
また穿刺手技訓練装置１では、加圧バッグ１５により模擬血液に圧力を加えることで模擬血液に擬似血圧を発生させるようにした。このため穿刺手技訓練装置１は、人体の動脈の血圧を忠実に再現することができる。
【００５１】
これにより穿刺手技訓練装置１は、訓練者が模擬血管１９に対する穿刺に成功した場合模擬血液をフラッシュバックさせることができるため、臨床現場における血管に対する穿刺を忠実に再現することができる。
【００５２】
また穿刺手技訓練装置１は血液チューブ１２の先端に接続部１８を介して模擬血管１９が着脱自在に接続されるようにした。
【００５３】
これにより穿刺手技訓練装置１は、一度穿刺手技訓練に模擬血管１９を使用した場合、当該模擬血管１９のみを交換して、次の穿刺手技訓練を行わせることができる。
【００５４】
以上の構成によれば、穿刺手技訓練装置１は、吸送気部２から間欠的に送出された圧縮空気の空気圧を、トランスデューサ８により模擬血液における拍動に変換することで、動脈に模し柔軟に形成された模擬血管１９を脈動させる。また穿刺手技訓練装置１は、加圧バッグ１５により模擬血液に圧力を加えることで模擬血液に擬似血圧を発生させるようにした。このため穿刺手技訓練装置１では、人体の動脈の脈拍及び血圧を忠実に再現することができるため、訓練者に対し、触診において動脈の脈動を頼りに当該動脈の位置を捕える訓練を行わせることができる。
【００５５】
［１−４．他の実施の形態］
なお上述した実施の形態においては、血液チューブ１２の先端に１本の模擬血管１９を接続する場合について述べた。
【００５６】
本発明はこれに限らず、図３に示す穿刺訓練装置１０１のように、２本の模擬血管１９が接続され、当該模擬血管１９それぞれに模擬手首２０が配置されても良く、また３本以上の模擬血管が接続され、それらの模擬血管それぞれに模擬手首が配置されても良い。
【００５７】
これにより、複数人の訓練者が同時に訓練を行うことができ、穿刺手技訓練の行う際の効率を向上させることができる。
【００５８】
また、複数本の模擬血管１９を接続した場合、接続部１８によりどの模擬血管１９に模擬血液を流すかを選択しても良い。
【００５９】
また上述した実施の形態においては、トランスデューサ８として一般的な血圧トランスデューサを用い、本来の血圧トランデューサの使用方法である、血圧から空気圧への変換ではく、逆に空気圧を血圧に変換するように利用する場合について述べたが、本発明はこれに限らず、空気圧を水圧として伝達可能な機器であればよい。
【００６０】
さらに上述した実施の形態においては、加圧バッグ１５を用いて模擬血液を加圧する場合について述べたが、本発明はこれに限らず、模擬血液を加圧できる機器であればよい。
【００６１】
さらに上述した実施の形態においては、橈骨動脈を模して模擬血管１９を成形する場合について述べたが、本発明はこれに限らず、例えば大腿動脈等を模して成形しても良い。要は血管の脈動を頼りに穿刺が行われる動脈であれば良い。
【００６２】
さらに上述した実施の形態においては、空気ポンプ４から空気を送出することにより空気チューブ３内部の空気圧を高める場合について述べたが、本発明はこれに限らず、空気ポンプ４により空気を吸引することにより空気圧を低くしても良い。要は、空気チューブ３内部の空気圧を変化させることにより、トランスデューサ８を介して模擬血液を拍動させ、模擬血管１９を脈動させることができれば良い。
【００６３】
さらに上述した実施の形態においては、気圧変化部としての吸送気部２と、圧力伝達部としてのトランスデューサ８と、模擬血管としての模擬血管１９と、模擬皮膚としての模擬皮膚２３とによって穿刺手技訓練装置としての穿刺手技訓練装置１を構成する場合について述べた。
【００６４】
しかしながら本発明はこれに限らず、その他種々の構成でなる気圧変化部と、圧力伝達部と、模擬血管と、模擬皮膚とによって穿刺手技訓練装置を構成するようにしても良い。
【産業上の利用可能性】
【００６５】
本発明は、触診しながら動脈に対する穿刺を行う穿刺手技を訓練する場合に利用できる。
【符号の説明】
【００６６】
１、１０１……穿刺手技訓練装置、２……吸送気部、３……空気チューブ、４……空気ポンプ、５……電磁弁、６……リーク弁、７……コントローラ、８……トランスデューサ、９……空気室、１０……ドーム、１１……隔壁、１２……血圧チューブ、１３……輸液ソフトバッグ、１４……ポンプ、１５……加圧バッグ、１７……圧力モニタ、１８……接続部、１９……模擬血管、２０……模擬手首、２１……台部、２２……蓋部、２３……模擬皮膚、２４……固定部。
【図１】
0005800516.tif 000002
【図２】
0005800516.tif 000003
【図３】
0005800516.tif 000004